(57)【要約】【課題】消費者に商品の数量の多さを十分にアピールでき、検査も容易であり、ばらつきを抑えられ、開封も容易なシェルパックを提供せんとする。【解決手段】下端側が開口した開口部３０を有するとともに内部空間に複数の同種商品９，…が横方向に並べて収納される商品収納部３１Ａ，３１Ｂを備える容器本体３と、該容器本体３の開口部３０を塞ぐ底蓋４とより構成され、商品収納部３１Ａ，３１Ｂは、容器本体３の上下方向に二段設けられており、各段の商品収納部３１Ａ（３１Ｂ）に収納される商品９，…は、上下方向に隣接する商品９に対して商品１個あたりの収納幅に満たない所定の幅ｗ１だけ横方向にずれた位置に配される。【選択図】図１
2008001379.tif 000002
【特許請求の範囲】
【請求項１】
複数の商品が収納される易開封シェルパックであって、
下端側が開口し、内部に複数の同種商品が横方向に並べて収納される商品収納部を備えた容器本体と、該容器本体の開口部を塞ぐ底蓋とより構成するとともに、
前記商品収納部を、容器本体の上下方向に複数段設け、
各段の商品収納部により、収納される商品が上下方向に隣接する商品に対して商品１個あたりの収納幅に満たない所定の幅だけ横方向にずれた位置に配されることを特徴とする易開封シェルパック。
【請求項２】
前記商品収納部に収納した商品を前記所定の幅だけ横方向にずらした位置に保持するための規制手段を設けてなる請求項１記載の易開封シェルパック。
【請求項３】
商品１個あたりの収納幅の略半分の幅だけ横方向にずれた位置に収納される請求項１又は２記載の易開封シェルパック。
【請求項４】
各段の商品収納部により、収納される商品が上下方向に隣接する商品に対して商品１個あたりの収納幅に満たない所定の幅だけ縦方向にずれた位置に配される請求項１〜３の何れか１項に記載の易開封シェルパック。
【請求項５】
前記商品収納部に収納した商品を前記所定の幅だけ縦方向にずらした位置に保持するための規制手段を設けてなる請求項４記載の易開封シェルパック。
【請求項６】
底蓋の内側面に商品の横方向および縦方向への移動を規制するための凸部を設けてなる請求項１〜５の何れか１項に記載の易開封シェルパック。
【請求項７】
前記底蓋の内側面に上段の商品収納部の商品の下降を当止するための凸部を設けてなる請求項１〜６の何れか１項に記載の易開封シェルパック。
【請求項８】
前記容器本体の開口部に鍔部を周設するとともに、前記底蓋の周縁部に、容器本体に取付けた状態で該容器本体の鍔部に重合する鍔部を設けてなる請求項１〜７の何れか１項に記載の易開封シェルパック。
【請求項９】
重合する鍔部の少なくとも一部の領域に、一方の鍔部の突出長さが他方よりも長い領域を設けてなる請求項８記載の易開封シェルパック。
【請求項１０】
容器本体および底蓋が平面視略四角形に構成され、四辺に設けられる重合する鍔部の少なくとも一辺において、一方の鍔部の突出長さを他方よりも長く設定してなる請求項９記載の易開封シェルパック。
【請求項１１】
前記一方の鍔部の突出長さが他方よりも長い領域において、前記他方の鍔部先端縁に、前記一方の鍔部先端縁よりも外側へ延びる舌状片を設けてなる請求項９又は１０記載の易開封シェルパック。
【請求項１２】
前記一方の鍔部の突出長さが他方よりも長い領域において、前記一方の鍔部先端縁に、前記他方の鍔部先端縁よりも内側へ切り欠かれた凹欠部を設けてなる請求項９〜１１の何れか１項に記載の易開封シェルパック。
【請求項１３】
容器本体および底蓋が平面視略四角形に構成され、前記凹欠部を二辺間の角部に設けてなる請求項１２記載の易開封シェルパック。
【請求項１４】
重合する鍔部の一部の領域に、容器本体と底蓋を開閉自在に連結するヒンジ部を設け、残り領域のうちほぼ全域に、一方の鍔部の突出長さが他方よりも長い領域を設けてなる請求項９〜１３の何れか１項に記載の易開封シェルパック。
【請求項１５】
前記一方の鍔部が容器本体の鍔部であり、前記他方の鍔部が底蓋の鍔部である請求項９〜１４の何れか１項に記載の易開封シェルパック。
【請求項１６】
前記容器本体に、下端側の開口部に沿って段差状に膨出する膨出部を周設するとともに、底蓋の内側面に前記膨出部に嵌入される環状の凸条部を設けてなる請求項１〜１５の何れか１項に記載の易開封シェルパック。
【請求項１７】
台紙上に固定してなる請求項１〜１６の何れか１項に記載の易開封シェルパック。
【発明の詳細な説明】
【技術分野】
【０００１】
本発明は、消費者が商品を直接確認できる易開封シェルパックに関する。
【背景技術】
【０００２】
この種のシェルパックは、商品の包装容器として広く利用されており、下端側が開口し、内部に複数の商品が収納される商品収納部を備えた容器本体と、該容器本体の開口部を塞ぐ底蓋とより構成するシェルパックが種々提案されている（例えば、特許文献１〜３参照。）。
【０００３】
ところで、これら従来のシェルパックに同種商品を複数収納する場合は、複数商品を積み重ねて収納することとなるが、シェルパックの外から見えるのは最上段や最下段の商品だけであり、ボリューム感がなく、商品の量やデザイン性を消費者に十分にアピールすることができない。
また、欠品や個々の商品の不良品の有無の確認等においても、重なり部分が見えにくく、製造における検査に手間を要していた。
また、このように複数積み重ねた商品がケース内部でばらつかない様、商品の形状に合わせた複雑な構造が必要とされ、コスト増大の原因となっていた。
さらに、これら従来のシェルパックでは、容器本体と底蓋のほぼ同じ突出長さの鍔部の重なり部分から開封することとなるため、非常に開けにくいという問題がある。
【０００４】
【特許文献１】特開２００５−１４９４４号公報
【特許文献２】特開２００５−１４５４９６号公報
【特許文献３】特開２００４−１２３１１１号公報
【発明の開示】
【発明が解決しようとする課題】
【０００５】
そこで、本発明が前述の状況に鑑み、解決しようとするところは、消費者に商品の数量の多さを十分にアピールでき、検査も容易であり、ばらつきを抑え、開封も容易なシェルパックを提供する点にある。
【課題を解決するための手段】
【０００６】
本発明は、前述の課題解決のために、複数の商品が収納される易開封シェルパックであって、下端側が開口し、内部に複数の同種商品が横方向に並べて収納される商品収納部を備えた容器本体と、該容器本体の開口部を塞ぐ底蓋とより構成するとともに、前記商品収納部を、容器本体の上下方向に複数段設け、各段の商品収納部により、収納される商品が上下方向に隣接する商品に対して商品１個あたりの収納幅に満たない所定の幅だけ横方向にずれた位置に配されることを特徴とする易開封シェルパックを構成した。
【０００７】
ここで、前記商品収納部に収納した商品を前記所定の幅だけ横方向にずらした位置に保持するための規制手段を設けたものが好ましく、とくに、商品１個あたりの収納幅の略半分の幅だけ横方向にずれた位置に収納される。
【０００８】
さらに、各段の商品収納部により、収納される商品が上下方向に隣接する商品に対して商品１個あたりの収納幅に満たない所定の幅だけ縦方向にずれた位置に配されることが好ましい。ここでも、前記商品収納部に収納した商品を前記所定の幅だけ縦方向にずらした位置に保持するための規制手段を設けたものが好ましい。
【０００９】
具体的には、底蓋の内側面に商品の横方向および縦方向への移動を規制するための凸部が設けられる。さらに、前記底蓋の内側面に上段の商品収納部の商品の下降を当止するための凸部も設けられる。
【００１０】
また、容器本体の開口部に鍔部を周設するとともに、前記底蓋の周縁部に、容器本体に取付けた状態で該容器本体の鍔部に重合する鍔部を設けたものが好ましい。ここで、重合する鍔部の少なくとも一部の領域に、一方の鍔部の突出長さが他方よりも長い領域が設けられる。
【００１１】
好ましくは、容器本体および底蓋が平面視略四角形に構成され、四辺に設けられる重合する鍔部の少なくとも一辺において、一方の鍔部の突出長さを他方よりも長く設定される。
【００１２】
また、前記一方の鍔部の突出長さが他方よりも長い領域において、前記他方の鍔部先端縁に、前記一方の鍔部先端縁よりも外側へ延びる舌状片が設けられる。
【００１３】
さらには、前記一方の鍔部の突出長さが他方よりも長い領域において、前記一方の鍔部先端縁に、前記他方の鍔部先端縁よりも内側へ切り欠かれた凹欠部が設けられる。特に、容器本体および底蓋が平面視略四角形に構成され、前記凹欠部を二辺間の角部に設けたものが好ましい。
【００１４】
また、重合する鍔部の一部の領域に、容器本体と底蓋を開閉自在に連結するヒンジ部を設け、残り領域のうちほぼ全域に、一方の鍔部の突出長さが他方よりも長い領域を設けたものが好ましい実施例である。
【００１５】
より具体的には、前記一方の鍔部が容器本体の鍔部であり、前記他方の鍔部が底蓋の鍔部である。
【００１６】
さらに、前記容器本体に、下端側の開口部に沿って段差状に膨出する膨出部を周設するとともに、底蓋の内側面に前記膨出部に嵌入される環状の凸条部を設けることが好ましい。
また、台紙上に固定してなるものが好ましい。
【発明の効果】
【００１７】
以上にしてなる本願発明に係る易開封シェルパックは、容器本体の上下方向に複数段設けた商品収納部により、商品が上下方向に隣接する商品に対して商品１個あたりの収納幅に満たない所定の幅だけ横方向にずれた位置に配されるので、積み重ねた上下の商品が安定し、複雑な構造が不要となる。また、上側の商品の左右から下側の商品が外部から見え、消費者に商品の数量の多さを十分にアピールできるとともに、出荷前の検品も下側の商品を確りと確認でき、効率よく目視確認を行うことが可能となる。
【００１８】
また、商品収納部に収納した商品を前記所定の幅だけ横方向にずらした位置に保持するための規制手段を設け、とくに、商品１個あたりの収納幅の略半分の幅だけ横方向にずれた位置に収納されるので、積み重ねた上下の商品をより安定させることができるとともに、下側の商品がより良く見えるようになり、ボリューム感をより向上させることができるとともに、製造検査時の個々の商品の目視確認が容易となる。
【００１９】
また、商品が上下方向に隣接する商品に対して商品１個あたりの収納幅に満たない所定の幅だけ縦方向にずれた位置に配されるので、縦横にずれることとなりボリューム感を更に向上させることができるとともに、製造検査時の個々の商品の目視確認が容易となる。。
【００２０】
また、底蓋の内側面に商品の横方向および縦方向への移動を規制するための凸部が設けたり、前記底蓋の内側面に上段の商品収納部の商品の下降を当止するための凸部も設けたので、横方向や縦方向にずらした状態を安定保持させることができる。
【００２１】
また、容器本体の開口部に鍔部を周設するとともに、前記底蓋の周縁部に、容器本体に取付けた状態で該容器本体の鍔部に重合する鍔部を設けたので、強度が向上し、底蓋による閉鎖状態をしっかりと維持することができる。
【００２２】
また、重合する鍔部の少なくとも一部の領域に、一方の鍔部の突出長さが他方よりも長い領域が設け、好ましくは、容器本体および底蓋が平面視略四角形に構成され、四辺に設けられる重合する鍔部の少なくとも一辺において、一方の鍔部の突出長さを他方よりも長く設定したので、底蓋開閉の操作性を向上させることができる。
【００２３】
また、一方の鍔部の突出長さが他方よりも長い領域において、前記他方の鍔部先端縁に、前記一方の鍔部先端縁よりも外側へ延びる舌状片を設けたので、該舌状片を指でつまんで底蓋を開閉操作を容易に行うことが可能となる。
【００２４】
また、一方の鍔部の突出長さが他方よりも長い領域において、前記一方の鍔部先端縁に、前記他方の鍔部先端縁よりも内側へ切り欠かれた凹欠部が設けられ。特に、容器本体および底蓋が平面視略四角形に構成され、前記凹欠部を二辺間の角部に設けたので、該凹欠部に現れた他方の鍔部を指でつまんで底蓋を開閉操作を容易に行うことが可能となる。
【００２５】
また、重合する鍔部の一部の領域に、容器本体と底蓋を開閉自在に連結するヒンジ部を設け、残り領域のうちほぼ全域に、一方の鍔部の突出長さが他方よりも長い領域を設けたので、開閉操作のより容易となる。
【００２６】
また、一方の鍔部が容器本体の鍔部であり、他方の鍔部が底蓋の鍔部としたので、長い方の容器本体側の鍔部を指で支持しつつ、短い方の底蓋側の鍔部を指でつまんで開閉操作することができ、操作性が向上する。
【００２７】
また、前記容器本体に、下端側の開口部に沿って段差状に膨出する膨出部を周設するとともに、底蓋の内側面に前記膨出部に嵌入される環状の凸条部を設けたので、各側壁の強度が増し、内部の商品の重量や外部から力が作用する等により側壁が変形することがない。
さらに、台紙に固定したものでは、従来の台紙付きのシェルパックに比べて本発明では容器本体の開口部を塞ぐ底蓋を備えているので、台紙から取り外して独立に使用でき、利便性が向上する。
【発明を実施するための最良の形態】
【００２８】
次に、本発明の実施形態を添付図面に基づき詳細に説明する。
尚、以下の実施形態では、台紙１０に固定されるシェルパックについて説明するが、台紙に固定されない易開封シェルパックも本発明に含まれることは勿論である。
【００２９】
図１は、本発明に係る易開封シェルパック１を示す斜視図であり、図１〜７は代表的な実施形態を示し、図中符号は２はシェルパック、３は容器本体、４は底蓋をそれぞれ示している。
【００３０】
本発明の易開封シェルパック１は、図１に示すように、台紙１０上に商品９を複数収納したシェルパック２が保持されて構成され、とくにシェルパック２は、図２、３にも示すように、台紙に対向する下端側が開口した開口部３０を有するとともに内部空間に複数の同種商品９，…が横方向に並べて収納される商品収納部３１Ａ，３１Ｂを備える容器本体３と、該容器本体３の開口部３０を塞ぐ底蓋４とより構成されている。
【００３１】
なお、シェルパック２の台紙１０への保持は、ホッチキスや接着剤、溶着による固定、或いは台紙の切り目に挟み込むなど、従来から公知の種々の手段を採用することができ、台紙１０についても、従来と同様、ロールコート紙やコート紙などの一般的な板紙などを利用することができる。また本例では商品として歯間ブラシを収納した例を説明しているが、商品はとくに限定されない。
【００３２】
シェルパック２を構成している容器本体３は、一端開口した透明なドーム状の容器であり、開口端部に外側へ延びる鍔部３２が周設され、該鍔部３２を上記ホッチキスや接着剤等により台紙１０に固定あるいは挟み込むことにより容器本体３が台紙１０上に保持されることとなる。本発明では、上述のとおり、容器本体３の開口部３０を塞ぐ底蓋４が設けられ、シェルパック２を台紙１０から取り外した後に独立のシェルパックとして利用することができる。
【００３３】
容器本体３および底蓋４の素材は、本例では従来のシェルパックに用いていたものと同様のポリエチレンテレフタレートやポリエチレン、ポリプロピレン、ポリスチレンなどの合成樹脂を用いることできるが、それに特に限定されず、金属や紙等からなるものであってもよい。また、形状も限定されず、本例のようにそれぞれ平面視略四角形のもの以外に、円形、楕円形その他の形状とすることもでき、収納する商品に応じて適宜設定すればよい。
【００３４】
また、このように透明な容器本体３、底蓋４を通じて内部の商品９，…が外部からよく見えるように収納されるが、底蓋４を不透明としたり、容器本体３も基本的に不透明に構成しつつ一部に透明な領域（窓）を設けた仕様や、メッシュ部や孔部を開けた形態の実施も可能である。
【００３５】
商品収納部３１Ａ，３１Ｂは、容器本体３の上下方向に複数段、本例では二段設けられており、各段の商品収納部３１Ａ（３１Ｂ）に収納される商品９，…は、図４（ａ），（ｂ）の横断面図からも分かるように、それぞれが上下方向に隣接する商品９に対して商品１個あたりの収納幅に満たない所定の幅ｗ１だけ横方向にずれた位置に配されている。
【００３６】
本例では、ｗ１を商品１個あたりの収納幅ｗ２の略半分の幅としたが、これは本商品９の歯間清掃具が断面視六角形であり、上下２段に収納する際、ｗ１をｗ２の略半分とすることで下段の商品の間に上段の商品が嵌り込むこととなり安定保持できることを理由としているが、商品の形状、段数などにより適宜設定すればよく、本例のずれ幅になんら限定されない。
【００３７】
また、本例における各段の商品収納部３１Ａ，３１Ｂに収納される商品９，…は、図５の縦断面図に示すように、上下方向に隣接する商品９に対して商品１個あたりの収納幅に満たない所定の幅ｗ３だけ縦方向にずれた位置に配されている。本例のように上下の段で縦横にずれた位置に商品９を収納することにより、下段の商品が上段の商品の間から見え、上下同じ位置に重ねて収納するよりもボリューム感を出すことができるとともに、下段の商品も良く確認でき、シェルパックを台紙に取り付ける前または後の検品作業が容易となる。
【００３８】
上段の商品収納部３１Ａに収納される商品９，…の位置は、当該商品収納部３１Ａの形状（壁面）により規制されており、その内側面には各商品９の形状に応じて該商品のばらつきを規制するための突起部５４が形成されている。本発明にかかるシェルパック２は台紙１０から独立させてそれ自体を携帯して利用することができ、携帯して持ち運ぶ際の商品９のばらつきを防止する意義が大きい。
【００３９】
下段の商品収納部３１Ｂに収納される商品９，…の位置も、当該商品収納部３１Ｂの形状（壁面）により規制することが可能であるが、本例では底蓋４の内側面４０に、下段の商品収納部３１Ｂに収納される商品９，…の横方向への移動を規制するための凸部５０、および縦方向への移動を規制するための凸部５１が設けられている。
【００４０】
とくに凸部５１は、図５に示すように、斜めの壁面５１ａにより下段の商品９の後端部を当止して移動を規制するとともに、頂面５１ｂにより上段の商品９の後端部を当止して、図１に示す状態において、当該上段の商品９の下降によるばらつきを規制している。凸部５０についても、同様に上段の商品を当止する位置まで延設することも好ましい。
【００４１】
その他、底蓋４には、下段の商品収納部３１Ｂに収納される商品９，…を位置決めするため突起部５２が周設されるとともに、携帯による利用を考慮して商品の形状に応じて同じくばらつきを規制するための突起部５３が形成されている。
【００４２】
本例では商品収納部を上下に２段としたが、３段以上とすることも勿論可能である。図６は、商品収納部を上下方向に３段設けたシェルパック２を示しており、この場合も上述の凸部５０、５１、突起部５２、５３などの規制手段を設けることが好ましいことは言うまでもない。また、容器本体の壁面形状も斜めに構成したが図４の例のように段差状に構成してもよい。図６では示されていないが、３段以上の場合にも上下方向に隣接する商品が縦方向にずれた位置に配されることが好ましい。
【００４３】
底蓋４の周縁部には、容器本体３の開口部３０に装着した状態において、容器本体の鍔部３２に重合される鍔部４２が設けられている。この底蓋４の鍔部４２は必ずしも必須ではないが、このように鍔部３２に重合する鍔部４２を設けることで、底蓋４の開放が容易となり、シェルパック２の強度も向上する。
【００４４】
重合した四辺の鍔部３２、４２の一辺において、その端部同士を屈曲自在に連結して容器本体３と底蓋４を開閉自在に連結するヒンジ部２０が設けられており、残りの３辺は、シェルパック２を示す図７（ａ），（ｂ）からも分かるように、基本的に鍔部３２の突出長さが鍔部４２よりも長くなるように構成されている。なお、ヒンジ部２０を設けずに互いに独立構成した容器本体３と底蓋４を組み付けるものでもよく、また、鍔部の突出長さの異なる領域を部分的に設けたりしてもよい。
【００４５】
本例では、短い方の鍔部４２の先端縁の一部には、鍔部３２先端縁よりも外側へ延びる舌状片２１が設けられており、該舌状片２１を指で摘んで底蓋４を容易に開閉できるように構成されている。また同様の趣旨から、同じく３辺のおける鍔部３２先端縁の一部、本例では二辺間の角部に、他方の鍔部４２先端縁よりも内側へ切り欠かれた凹欠部２２が設けられ、該凹欠部２２内に表出している他方の鍔部４２を指で摘んで底蓋４を容易に開閉できるように構成されている。
【００４６】
また、本実施形態では、容器本体３に開口部３０に向かって段差状に膨出した膨出部３３が周設されており、他方、底蓋４の上面（内側面４０）に形成された上述の突起部５２が膨出部３３に嵌入されるように構成されている。このように膨出部３３と突起部５２の嵌合構造を構成することにより、シェルパック２の各側壁の強度アップが図られている。
【００４７】
以上本発明の実施形態について説明したが、本発明はこうした実施例に何ら限定されるものではなく、上述したように台紙１０に固定されないものなど、本発明の要旨を逸脱しない範囲において種々なる形態で実施し得ることは勿論である。
【図面の簡単な説明】
【００４８】
【図１】本発明の代表的実施形態に係る易開封シェルパックを示す斜視図。
【図２】易開封シェルパックを構成するシェルパックの容器本体に商品を収納する様子を示す斜視図。
【図３】同じくシェルパックの容器本体に商品を収納した様子を示す斜視図。
【図４】（ａ）は、同じくシェルパックの容器本体に商品を収納した様子を示す横断面図、（ｂ）はさらに底蓋で蓋をした状態を示す横断面図。
【図５】同じくシェルパックに商品を収納した蓋をした状態を示す縦断面図。
【図６】商品を上下方向に三段に収納したシェルパックの変形例を示す横断面図。
【図７】（ａ）はシェルパックの平面図、（ｂ）は横方向からみた側面図
【符号の説明】
【００４９】
１  易開封シェルパック
２  シェルパック
３  容器本体
４  底蓋
９  商品
１０  台紙
２０  ヒンジ部
２１  舌状片
２２  凹欠部
３０  開口部
３１Ａ，３１Ｂ  商品収納部
３２  鍔部
３３  膨出部
４０  内側面
４２  鍔部
５０  凸部
５１ｂ  頂面
５１  凸部
５１ａ  壁面
５２  突起部
５３  突起部
５４  突起部
ｗ１，ｗ２，ｗ３   幅
【図１】
2008001379.tif 000003
【図２】
2008001379.tif 000004
【図３】
2008001379.tif 000005
【図４】
2008001379.tif 000006
【図５】
2008001379.tif 000007
【図６】
2008001379.tif 000008
【図７】
2008001379.tif 000009